(57)【要約】      （修正有）【課題】傘の柄に荷物を分散して吊り下げられる傘を提供する。【解決手段】傘１０の軸柄１２に複数の荷物吊下げ手段１４ａ，１４ｂを設ける。これらのフック１４ａ，１４ｂは、軸柄１２に対して対称となるように設けられている。すなわち、一方のフック１４ａは、握り柄１３と対峙する側に設けられ、他の一方のフック１４ｂは、握り柄１３と対峙しない側、すなわち、前記フック１４ａの背面側に設けられている。これらのフック１４ａ，１４ｂは、同じ寸法および同じ強度を持つように形成しても差し支えがないが、この例では、握り柄１３側に設けたフック１４ａを、当該フック１４ａの背面側に設けたフック１４ｂよりも大型で、且つ、頑丈なものとし、比較的重量のある荷物を吊り下げられることができるようにしている。【選択図】図１
0003162302.tif 000002
【実用新案登録請求の範囲】
【請求項１】
傘の軸柄に複数の荷物吊下げ手段を設けたことを特徴とする傘。
【請求項２】
傘の軸柄に複数の荷物吊下げ手段を軸柄に対して対称となるように設けたことを特徴とする請求項１記載の傘。
【請求項３】
傘の軸柄に設けた複数の荷物吊下げ手段のうち、一つの荷物吊下げ手段を傘の握り柄側に設けたことを特徴とする請求項１記載の傘。
【請求項４】
傘の握り柄側に設けた荷物吊下げ手段を、他の荷物吊下げ手段よりも大型で、且つ、頑丈に形成したことを特徴とする請求項３記載の傘。
【請求項５】
荷物吊下げ手段にフックを適用することを特徴とする請求項１乃至請求４のいずれか１項に記載の傘。
【請求項６】
荷物吊下げ手段に適用したフックを、その先端が握り柄側に向くように設けたことを特徴とする請求項５記載の傘。
【請求項７】
荷物吊下げ手段に適用したフックに、石突き側に突出する突起を設けたことを特徴とする請求項５又は６記載の傘。
【考案の詳細な説明】
【技術分野】
【０００１】
本考案は、傘の柄に荷物を掛けることができるようにした傘に関するものである。
【背景技術】
【０００２】
図３に示すように、傘を閉じて持ち歩く時に荷物を掛けることができるように、傘の柄３１の先端にフック３２を一体化させ、更に、フック３２の先にフックの返し３３を設けたフック付き傘の柄が提案されている（特許文献１）。
【０００３】
他方、図４に示すように、傘の柄４１の湾曲部４２に荷物を吊り下げた時に、強く握らなくても持てるようにするため、傘の柄４１に突起４３を設け、更に、吊り下げた荷物が傘の軸の重心の延長線上にくるように、握る部分に勾配４４を設けた傘が提案されている（特許文献２）。
【０００４】
前者は、デザインが優れているが、フック３２に多数の荷物を吊り下げた場合、重力の作用によって荷物が一カ所に集合しようとするため、柔らかな荷物が重くて硬い荷物によって押しつぶされる虞れがある。
【０００５】
後者は、傘の柄４１に突起４３を設けたので、傘の柄４１の湾曲部４２に荷物を吊り下げた時に強く握らなくても持てるようになると推察されるが、傘の柄４１の湾曲部４２に多数の荷物を吊り下げた時に重力の作用によって荷物が一カ所に集合しようとするため、柔らかな荷物が重くて硬い荷物によって押しつぶされる虞れがある。
【先行技術文献】
【特許文献】
【０００６】
【特許文献１】特開２００４−２５５１５０号公報
【特許文献２】特開２０００−１５７３１５号公報
【考案の概要】
【考案が解決しようとする課題】
【０００７】
本考案は、従来の問題を解消するために考案されたものであり、荷物を傘の柄に分散して吊り下げることができる傘を提供することにある。
【課題を解決するための手段】
【０００８】
本考案の請求項１に係る傘は、傘の軸柄に複数の荷物吊下げ手段を設けたことを特徴とするものである。
【０００９】
本考案の請求項２に係る傘は、傘の軸柄に複数の荷物吊下げ手段を軸柄に対して対称となるように設けたことを特徴とするものである。
【００１０】
本考案の請求項３に係る傘は、傘の軸柄に設けた複数の荷物吊下げ手段のうち、一つの荷物吊下げ手段を傘の握り柄側に設けたことを特徴とするものである。
【００１１】
本考案の請求項４に係る傘は、傘の握り柄側に設けた荷物吊下げ手段を、他の荷物吊下げ手段よりも大型で、且つ、頑丈に形成したことを特徴とするものである。
【００１２】
本考案の請求項５に係る傘は、荷物吊下げ手段にフックを適用することを特徴とするものである。
【００１３】
本考案の請求項６に係る傘は、荷物吊下げ手段に適用したフックを、その先端が握り柄側に向くように設けたことを特徴とするものである。
【００１４】
本考案の請求項７に係る傘は、荷物吊下げ手段に適用したフックに、石突き側に突出する突起を設けたことを特徴とするものである。
【考案の効果】
【００１５】
本考案の請求項１に係る傘は、傘の軸柄に複数の荷物吊下げ具を設けたので、荷物を複数の荷物吊下げ具に分散して吊り下げることができる。例えば、柔らかな荷物と重くて硬い荷物などに仕分けして荷物吊下げ具に吊り下げることによって柔らかな荷物が重くて硬い荷物に押しつぶされるのを回避することができる。
【００１６】
本考案の請求項２に係る傘は、傘の軸柄に複数の荷物吊下げ手段を軸柄に対して対称となるように設けたので、請求項１に係る傘と同様の効果を得ることができる。
【００１７】
本考案の請求項３に係る傘は、傘の軸柄に設けた複数の荷物吊下げ手段のうち、一つの荷物吊下げ手段を傘の握り柄側に設けたので、荷物吊下げ手段に吊り下げた荷物が握り柄のほぼ真下に位置することになる。このため、重い荷物を吊り下げるのに適している。
【００１８】
本考案の請求項４に係る傘は、傘の握り柄側に設けた荷物吊下げ手段を、他の荷物吊下げ手段よりも大型で、且つ、頑丈に形成したので、請求項３に係る傘と同様の効果を得ることができる。
【００１９】
本考案の請求項５に係る傘は、荷物吊下げ手段にフックを適用するので、落下防止手段に吊り下げた荷物の落下を回避することができる。
【００２０】
本考案の請求項６に係る傘は、荷物吊下げ手段に適用したフックを、その先端が握り柄側に向くように設けたので、落下防止手段に吊り下げた荷物の落下を回避することができる。
【００２１】
本考案の請求項７に係る傘は、荷物吊下げ手段に適用したフックに、石突き側に突出する突起を設けたので、雨中でも荷物吊下げ手段に荷物を吊り下げて落下させることなく安全に持ち運ぶことができる。
【図面の簡単な説明】
【００２２】
【図１】本考案に係る傘の正面図である。
【図２】本考案に係る傘の使用説明図である。
【図３】従来の傘の柄の斜視図である。
【図４】従来の傘の柄の正面図である。
【考案を実施するための形態】
【００２３】
以下、本考案の実施の形態を図面を用いて説明する。なお、この実施の形態では、傘を閉じて持ち歩く場合を例に採る。
【００２４】
図１に示すように、本考案に係る傘１０は、柄１１の部分に特徴がある。一般に、傘の柄１１は、傘の軸棒（図示せず）に装着されている真っ直ぐな軸柄１２と、湾曲した握り柄１３から構成されているが、本考案に係る傘１０は、軸柄１２に複数の荷物吊下げ手段、すなわち、複数のＬ字状のフック１４ａ，１４ｂを設けている点に特徴がある。
【００２５】
これらのフック１４ａ，１４ｂは、軸柄１２に対して対称となるように設けられている。すなわち、一方のフック１４ａは、握り柄１３と対峙する側に設けられ、他の一方のフック１４ｂは、握り柄１３と対峙しない側、すなわち、前記フック１４ａの背面側に設けられている。
【００２６】
これらのフック１４ａ，１４ｂは、同じ寸法および同じ強度を持つように形成しても差し支えがないが、この例では、握り柄１３側に設けたフック１４ａを、当該フック１４ａの背面側に設けたフック１４ｂよりも大型で、且つ、頑丈なものとし、比較的重量のある荷物を吊り下げられることができるようにしている。
【００２７】
上記フックフック１４ａ，１４ｂは、その先端１５が握り柄１３側を向くように軸柄２１に取り付けられ、傘１０を閉じ、傘１０の先端にある石突１６を下に向けて持ち歩く時に、フック１４ａ，１４ｂに掛けた荷物が落下しないようにしている。なお、符合１７は、傘骨（図示せず）の外側に張られた傘布を示している。
【００２８】
次に、上記フック１４ａ，１４ｂの使用方法について説明すると、図２に示すように、荷物の入った買物袋やレジ袋などの袋、あるいはビジネスバッグなどを二本のフック１４ａ，１４ｂに振り分けて吊り下げる。例えば、握り柄１３側の大型で頑丈なフック１４ａには、重くて高い荷物の入ったビジネスバッグ２０ａを吊り下げ、他方のフック１４ｂには、それよりも軽量で柔らかな荷物の入った袋２０ｂを吊り下げる。
【００２９】
上記の場合、重い荷物の入ったビジネスバッグ２０ａが握り柄１３のほぼ真下になるので、傘１０が持ち易くなるのみならず、荷物の入った、ビジネスバッグ２０ａ，袋２０ｂが二分されるので、柔らかな荷物が重くて硬い荷物によって押しつぶされることも無くなる。
【００３０】
以上の説明では、フック１４ａ，１４ｂの先端１５が握り柄１３側に向けられている例について説明したが、例えば、破線で示すように、フック１４ａ，１４ｂに、石突１６側に突出する突起１８を設けることにより、雨中でも荷物吊下げ手段であるフック１４ａ，１４ｂに荷物を吊り下げて安全に持ち運ぶことができる。
【符号の説明】
【００３１】
１０  傘
１２  軸柄
１４ａ，１４ｂ  荷物吊下げ手段
【図１】
0003162302.tif 000003
【図２】
0003162302.tif 000004
【図３】
0003162302.tif 000005
【図４】
0003162302.tif 000006